(57)【要約】【課題】意匠の隠蔽と表示とを効果的に両立させることができる照明装置を提供する。【解決手段】照明装置１００は、光源１０４と、光源１０４が発した光を所定の意匠の形状で前方に透過することで前面１１０ａに所定の意匠１０６を表示する積層体１０１と、を備える照明装置１００であって、積層体１０１は、前面１１０ａを有し、透光性を有する表示層１１０と、所定の意匠の形状の第１開口部１２１を有し、表示層１１０および光源１０４の間に配置され、表示層１１０の前面１１０ａから後方へ透過した外光を反射する反射層１２０と、第１開口部１２１と重なって配置され所定の意匠の形状の第２開口部１３１を有し、反射層１２０および光源１０４の間に配置され、遮光性を有する遮光層１３０と、表示層１１０および光源１０４の間において第１開口部１２１および第２開口部１３１と重なって配置され、光を拡散する光拡散層１４０と、を有する。【選択図】図８
2020101781.tif 000002
【特許請求の範囲】
【請求項１】
光源と、前記光源が発した光を所定の意匠の形状で前方に透過することで前面に前記所定の意匠を表示する積層体と、を備える照明装置であって、
前記積層体は、
前記前面を有し、透光性を有する表示層と、
前記所定の意匠の形状の第１開口部を有し、前記表示層および前記光源の間に配置され、前記表示層の前記前面から後方へ透過した外光を反射する反射層と、
前記第１開口部と重なって配置され前記所定の意匠の形状の第２開口部を有し、前記反射層および前記光源の間に配置され、遮光性を有する遮光層と、
前記反射層および前記光源の間において前記第２開口部と重なって配置され、光を拡散する光拡散層と、を有する
照明装置。
【請求項２】
前記反射層、前記遮光層、および前記光拡散層は、それぞれ、前記表示層の後面に、この順で印刷されることで形成された印刷層である
請求項１に記載の照明装置。
【請求項３】
前記積層体は、さらに、透明フィルムを有し、
前記表示層は、前記透明フィルムの前面に配置され、
前記反射層、前記遮光層および前記光拡散層は、それぞれ、前記透明フィルムの後面に、この順に印刷されることで形成された印刷層である
請求項１に記載の照明装置。
【請求項４】
前記積層体は、さらに、透明フィルムを有し、
前記反射層は、前記透明フィルムの前面に印刷されることで形成された第１印刷層であり、
前記遮光層および前記光拡散層は、前記透明フィルムの後面に、この順に印刷されることで形成された第２印刷層である
請求項１に記載の照明装置。
【請求項５】
前記光拡散層は、光透過性および光拡散性を有するフィルムであり、
前記遮光層および前記反射層は、前記光拡散層の前面に、この順に印刷されることで形成された印刷層である
請求項１に記載の照明装置。
【請求項６】
前記表示層は、所定の色柄が形成されている
請求項１から３のいずれか１項に記載の照明装置。
【請求項７】
前記所定の色柄は、木目、または、金属模様である
請求項６に記載の照明装置。
【請求項８】
前記遮光層は、黒色である
請求項１から７のいずれか１項に記載の照明装置。
【請求項９】
前記光拡散層は、前記所定の意匠の形状に形成される
請求項１から８のいずれか１項に記載の照明装置。
【請求項１０】
さらに、
前記積層体および前記光源の間に配置され、透光性を有する基材を備える
請求項１から９のいずれか１項に記載の照明装置。
【請求項１１】
前記表示層は、突板と、前記突板に含浸された透明な樹脂とを有する
請求項１から１０のいずれか１項に記載の照明装置。
【請求項１２】
前記表示層は、突板である
請求項１から５、８から１０のいずれか１項に記載の照明装置。
【請求項１３】
前記表示層は、前記前面を構成する透明な保護層を有する
請求項１から１２のいずれか１項に記載の照明装置。
【請求項１４】
前記第１開口部の全部は、前記第２開口部の一部に重なっている
請求項１から１３のいずれか１項に記載の照明装置。
【請求項１５】
前記光源は、光を発する点灯状態と、光を発しない消灯状態とのいずれかの状態に選択的に切り替えられる
請求項１から１４のいずれか１項に記載の照明装置。
【発明の詳細な説明】
【技術分野】
【０００１】
本開示は、照明装置に関する。
【背景技術】
【０００２】
特許文献１には、裏側から光が無いときには、色柄を隠蔽層で隠蔽することで表面側に現れずに木質化粧材の外観を呈する一方、裏側から光が当たったときには、木目と共に色柄が表面に現出する透光性化粧材が開示されている。
【先行技術文献】
【特許文献】
【０００３】
【特許文献１】特開２０１２−１７９８０１号公報
【発明の概要】
【発明が解決しようとする課題】
【０００４】
しかしながら、特許文献１に開示されている従来の透光性化粧材を用いた照明装置では、裏側から光が無いときの、色柄などの意匠の隠蔽と、裏側から光が当たったときの意匠の表示とを効果的に両立させることが難しかった。
【０００５】
そこで、本開示は、意匠の隠蔽と表示とを効果的に両立させることができる照明装置を提供する。
【課題を解決するための手段】
【０００６】
本開示の一態様に係る照明装置は、光源と、前記光源が発した光を所定の意匠の形状で前方に透過することで前面に前記所定の意匠を表示する積層体と、を備える照明装置であって、前記積層体は、前記前面を有し、透光性を有する表示層と、前記所定の意匠の形状の第１開口部を有し、前記表示層および前記光源の間に配置され、前記表示層の前記前面から後方へ透過した外光を反射する反射層と、前記第１開口部と重なって配置され前記所定の意匠の形状の第２開口部を有し、前記反射層および前記光源の間に配置され、遮光性を有する遮光層と、前記反射層および前記光源の間において前記第２開口部と重なって配置され、光を拡散する光拡散層と、を有する。
【発明の効果】
【０００７】
本開示の照明装置では、意匠の隠蔽と表示とを効果的に両立させることができる。
【図面の簡単な説明】
【０００８】
【図１】図１は、実施の形態に係るステアリング入力装置が配置された車両の車室の一例を示す図である。
【図２】図２は、実施の形態に係るステアリング入力装置の使用例を示す図である。
【図３】図３は、実施の形態に係る照明装置の外観斜視図である。
【図４】図４は、実施の形態に係る照明装置の分解斜視図である。
【図５】図５は、平面視における第１開口部と第２開口部との位置関係を示す図である。
【図６】図６は、光源が消灯状態における所定の意匠の表示態様の一例を示す図である。
【図７】図７は、光源が点灯状態における所定の意匠の表示態様の一例を示す図である。
【図８】図８は、図７のＶＩＩＩ−ＶＩＩＩ断面図であり、消灯状態における表示態様の原理を説明するための図である。
【図９】図９は、図７のＶＩＩＩ−ＶＩＩＩ断面図であり、点灯状態における表示態様の原理を説明するための図である。
【図１０】図１０は、変形例１の照明装置の、図７のＶＩＩＩ−ＶＩＩＩ断面図に対応する断面図である。
【図１１】図１１は、変形例２の照明装置の、図７のＶＩＩＩ−ＶＩＩＩ断面図に対応する断面図である。
【発明を実施するための形態】
【０００９】
（本開示の基礎となった知見）
特許文献１に開示されている従来の透光性化粧材を用いた照明装置では、表面に表示される意匠は、透光性化粧材の裏側に設けられた光源からの光が隠蔽層を透過した後の光により表示されるため、意匠の表示輝度が低下しやすい。一方で、意匠の表示輝度を低下しないように、光が透過しやすいように隠蔽層の透過率を調整すると、裏側から光が無いときに色柄を隠蔽する効果が低減する。このように、光源を発光させたときに意匠を表面に明瞭に表示させようとすれば、光源を発光させていないときに意匠を十分に隠蔽できず、光源を発光させていないときに意匠を十分に隠蔽しようとすれば、光源を発光させたときに意匠を表面に明瞭に表示させることができない。つまり、意匠の隠蔽と表示とを効果的に両立させることが難しかった。
【００１０】
本開示の一態様に係る照明装置は、光源と、前記光源が発した光を所定の意匠の形状で前方に透過することで前面に前記所定の意匠を表示する積層体と、を備える照明装置であって、前記積層体は、前記前面を有し、透光性を有する表示層と、前記所定の意匠の形状の第１開口部を有し、前記表示層および前記光源の間に配置され、前記表示層の前記前面から後方へ透過した外光を反射する反射層と、前記第１開口部と重なって配置され前記所定の意匠の形状の第２開口部を有し、前記反射層および前記光源の間に配置され、遮光性を有する遮光層と、前記反射層および前記光源の間において前記第２開口部と重なって配置され、光を拡散する光拡散層と、を有する。
【００１１】
これによれば、外光を反射する反射層と、光を拡散する光拡散層とが別々に設けられており、反射層には光拡散層と重なって配置される第１開口部が設けられている。このため、反射層の反射率を調整することで、光源が光を発していないときに遮光層の第２開口部の形状が表示層の前面に現れることを隠蔽する度合いを調整することができる。また、光拡散層の透過率を調整することで、所定の意匠の表示輝度を調整することができる。このように、反射層と光拡散層とを別々の構成にしたことで、第２開口部の形状を隠蔽する度合いの調整と、所定の意匠の表示輝度の調整とを別々に行うことができる。よって、所定の意匠の隠蔽と表示とを効果的に両立させることができる。
【００１２】
また、前記反射層、前記遮光層、および前記光拡散層は、それぞれ、前記表示層の後面に、この順で印刷されることで形成された印刷層であってもよい。
【００１３】
このため、反射層、遮光層および光拡散層を、表示層の後面に容易に配置することができる。
【００１４】
また、前記積層体は、さらに、透明フィルムを有し、前記表示層は、前記透明フィルムの前面に配置され、前記反射層、前記遮光層および前記光拡散層は、それぞれ、前記透明フィルムの後面に、この順に印刷されることで形成された印刷層であってもよい。
【００１５】
このため、反射層、遮光層および光拡散層を、表示層の後側に容易に配置することができる。
【００１６】
また、前記積層体は、さらに、透明フィルムを有し、前記反射層は、前記透明フィルムの前面に印刷されることで形成された第１印刷層であり、前記遮光層および前記光拡散層は、前記透明フィルムの後面に、この順に印刷されることで形成された第２印刷層であってもよい。
【００１７】
このため、反射層と、遮光層および光拡散層とを分離して配置することが容易にできる。
【００１８】
また、前記光拡散層は、光透過性および光拡散性を有するフィルムであり、前記遮光層および前記反射層は、前記光拡散層の前面に、この順に印刷されることで形成された印刷層であってもよい。
【００１９】
このため、光拡散層よりも前方に遮光層および反射層を配置することが容易にできる。
【００２０】
また、前記表示層は、所定の色柄が形成されていてもよい。
【００２１】
このため、例えば、光源が消灯状態の場合に、表示層の所定の色柄のみをユーザに視認させることができる。また、例えば、光源が点灯状態の場合に、表示層の所定の色柄の中に所定の意匠を表示させることができる。
【００２２】
また、前記所定の色柄は、木目、または、金属模様であってもよい。
【００２３】
このため、例えば、光源が消灯状態の場合に、表示層の木目または金属模様のみをユーザに視認させることができる。また、例えば、光源が点灯状態の場合に、表示層の木目または金属模様の中に所定の意匠を表示させることができる。
【００２４】
また、前記遮光層は、黒色であってもよい。
【００２５】
このため、遮光層は、効果的に遮光することができる。
【００２６】
また、前記光拡散層は、前記所定の意匠の形状に形成されてもよい。
【００２７】
このため、光拡散層の大きさを小さくすることができ、製造コストを低減することができる。
【００２８】
また、さらに、前記積層体および前記光源の間に配置され、透光性を有する基材を備えてもよい。
【００２９】
このため、積層体の強度を確保することができる。
【００３０】
また、前記表示層は、突板と、前記突板に含浸された透明な樹脂とを有してもよい。あるいは、前記表示層は、突板であってもよい。
【００３１】
このため、表示層は、例えば、光源が消灯状態の場合に、表示層の木目のみをユーザに視認させることができる。また、例えば、光源が点灯状態の場合に、表示層の木目の中に所定の意匠を表示させることができる。
【００３２】
また、前記表示層は、前記前面を構成する透明な保護層を有してもよい。
【００３３】
このため、表示層の前面に傷がつくことを低減することができる。
【００３４】
また、前記第１開口部の全部は、前記第２開口部の一部に重なっていてもよい。
【００３５】
このため、製造時に反射層と遮光層とがずれて配置されたとしても、第１開口部を第２開口部の中に収めることが容易にできる。これにより、反射層が遮光層に対してずれることで第１開口部から第２開口部の端縁部が露出することを低減することができる。よって、第２開口部の形状が隠蔽されずに視認されることを抑制することができる。
【００３６】
また、前記光源は、光を発する点灯状態と、光を発しない消灯状態とのいずれかの状態に選択的に切り替えられてもよい。
【００３７】
このため、光源が消灯状態の場合に、表示層の模様のみをユーザに視認させることができ、光源が点灯状態の場合に、表示層の模様の中に所定の意匠を表示させることができる。
【００３８】
以下、本開示の一態様に係る照明装置について、図面を参照しながら具体的に説明する。
【００３９】
なお、以下で説明する実施の形態は、いずれも本開示の一具体例を示すものである。以下の実施の形態で示される数値、形状、材料、構成要素、構成要素の配置位置及び接続形態、ステップ、ステップの順序などは、一例であり、本開示を限定する主旨ではない。また、以下の実施の形態における構成要素のうち、最上位概念を示す独立請求項に記載されていない構成要素については、任意の構成要素として説明される。
【００４０】
（実施の形態）
［１．構成］
［１−１．ステアリング入力装置の構成］
まず、図１及び図２を参照しながら、実施の形態に係るステアリング入力装置２の構成について説明する。図１は、実施の形態に係るステアリング入力装置２が配置された車両の車室の一例を示す図である。図２は、実施の形態に係るステアリング入力装置２の使用例を示す図である。
【００４１】
図１に示す自動車４（車両の一例）の車室には、ステアリング入力装置２及び車載機器６が搭載されている。実施の形態に係るステアリング入力装置２は、ステアリングホイール８及び照明装置１００を備えている。
【００４２】
ステアリングホイール８は、自動車４を操舵するためのものである。ステアリングホイール８は、リング形状を有するリム１２と、リム１２の内周面に一体的に形成された略Ｔ字状のスポーク１４と、スポーク１４の中央部に配置されたホーンスイッチ（図示せず）を覆うホーンスイッチカバー１６とを有している。
【００４３】
照明装置１００は、車載機器６を操作するためのものであり、例えばステアリングホイール８のスポーク１４に配置されている。図２に示すように、ユーザである運転者は、リム１２を握っている右手の指１８（操作物体の一例）で照明装置１００に対して入力を行うことにより、車載機器６を操作することができる。照明装置１００の構成については後で詳述する。
【００４４】
車載機器６は、例えばコンパクトディスク等の光ディスクを再生するためのオーディオ機器である。車載機器６は、例えばダッシュボード２０内に配置されている。車載機器６の構成については後で詳述する。
【００４５】
［１−２．照明装置の構成］
次に、図３及び図４を参照しながら、実施の形態に係る照明装置１００の構成について説明する。図３は、実施の形態に係る照明装置１００の外観斜視図である。図４は、実施の形態に係る照明装置１００の分解斜視図である。
【００４６】
図３の照明装置１００には、外枠２００と、表示層１１０とが示されている。図４の照明装置１００には、積層体１０１と、基材１０２と、ケース１０３と、光源１０４と、基板１０５とが示されている。これらの構成要素のうち、照明装置１００は、積層体１０１と、光源１０４とを備えていればよく、その他の構成要素を必ずしも備えていなくてもよい。
【００４７】
積層体１０１は、表示層１１０と、反射層１２０と、遮光層１３０と、光拡散層１４０とを有する。積層体１０１は、光源１０４が発した光を所定の意匠の形状で前方（Ｚ軸プラス方向、つまりユーザの視線と逆方向）に透過することで前面１１０ａ（ユーザと対向する面）に所定の意匠を表示する。所定の意匠は、本実施の形態では、「ＡＵＴＯ」という文字の形状を有する。所定の意匠の詳細については、図５〜図７を用いて後述する。
【００４８】
表示層１１０は、所定の意匠が表示される前面１１０ａを有し、透光性を有する層状の部位である。表示層１１０は、例えば、天然木がスライスされることにより形成される突板と、突板に含浸された透明な樹脂とにより構成されていてもよい。あるいは、表示層１１０は、上記した突板のみで構成されていてもよい。これにより、表示層１１０の前面１１０ａには、光源１０４が点灯していない状態において、所定の色柄として突板の表面の木目がユーザにより視認されうる。
【００４９】
なお、表示層１１０は、上記の構成に限らずに、透光性を有する樹脂などの表面に、所定の色柄が形成されている部位であってもよい。所定の色柄は、上述のような木目に限らずに、金属模様、つまり、金属面の表面の仕上げにより形成される模様、布地の模様などであってもよい。金属面の表面の仕上げにより形成される模様とは、例えば、ヘアライン仕上げにより形成されるヘアライン、シボ加工により形成される梨地などである。また、所定の色柄とは、所定のテクスチャである。
【００５０】
また、表示層１１０は、さらに、前面１１０ａを構成する透明な保護層（図示せず）を有していてもよい。保護層は、例えば、アクリル、ウレタン、シリコーンなどを含む塗料が表面に塗布されることで形成された塗膜である。つまり、保護層は、透明な樹脂で構成される塗膜であってもよい。このように、表示層１１０の前面１１０ａは、保護層により構成されているため、表示層１１０の前面１１０ａに傷がつくことを低減することができる。
【００５１】
反射層１２０は、表示層１１０及び光源１０４の間に配置され、表示層１１０の前面１１０ａから後方（Ｚ軸マイナス方向、つまりユーザの視線方向）へ透過した外光を反射する層状の部位である。反射層１２０は、具体的には、表示層１１０の後側に隣接する層状の部位である。反射層１２０は、外光を、表示層１１０と接している面で反射する、または、反射層１２０の内部で散乱することで反射する。反射層１２０は、例えば、乳白色の樹脂により構成される。また、反射層１２０は、所定の意匠の形状の第１開口部１２１を有する。第１開口部１２１は、所定の意匠の形状で反射層１２０を、反射層１２０の厚み方向（Ｚ軸方向）に貫通している貫通孔である。なお、反射層１２０は、第１開口部１２１を除いて、例えば乳白色となるインクを、表示層１１０または遮光層１３０に印刷して構成されている。この乳白色のインクを印刷形成することで、乳白色の樹脂からなる反射層１２０が構成される。なお、乳白色のインクは、遮光層１３０の色（例えば後述するように黒色）を透過させず、かつ、外光を反射するのに十分な白色系の顔料をビヒクル樹脂に分散させ、白色系の顔料が分散されたビヒクル樹脂にさらに補助剤を添加して構成されている。白色系の顔料としては、例えば、酸化チタン、炭酸カルシウムなどが挙げられる。
【００５２】
反射層１２０は、この乳白色のインクが表示層１１０に対してスクリーン印刷されることにより形成される。このときの反射層１２０の厚みは、例えば５〜１０マイクロメートル程度である。
【００５３】
なお、反射層１２０を構成する乳白色のインクは、上記構成、材料に限定されるものではなく、他の白色系の顔料や染料を用いてもよい。また、反射層１２０の乳白色のインクは、例えばビヒクル樹脂に光を反射する微細な粒子（アクリルなどのビーズ）を混合することで構成されてもよい。また、反射層１２０の厚みも５〜１０マイクロメートルに限定されるものではなく、遮光層１３０の色（例えば後述するように黒色）を透過させないために十分な厚みであればよい。
【００５４】
遮光層１３０は、反射層１２０及び光源１０４の間に配置され、遮光性を有する層状の部位である。遮光層１３０は、具体的には、反射層１２０の後側に隣接する層状の部位である。遮光層１３０は、例えば、黒色の樹脂により構成される。また、遮光層１３０は、第１開口部１２１と重なって配置され所定の意匠の形状の第２開口部１３１を有する。第２開口部１３１は、所定の意匠の形状で遮光層１３０を、遮光層１３０の厚み方向（Ｚ軸方向）に貫通している貫通孔である。つまり、第２開口部１３１は、第１開口部１２１と同じ形状を有する。
【００５５】
ここで、第１開口部１２１と第２開口部１３１とのＺ軸方向から見た場合の平面視における位置関係について図５を用いて説明する。
【００５６】
図５は、平面視における第１開口部１２１と第２開口部１３１との位置関係を示す図である。
【００５７】
図５に示すように、第１開口部１２１の全部は、第２開口部１３１の一部に重なっている。つまり、第１開口部１２１のサイズは、第２開口部１３１のサイズよりも小さく、平面視において第１開口部１２１が占める領域は、第２開口部１３１が占める領域を全て覆っている。このため、製造時に反射層１２０と遮光層１３０とがずれて配置されたとしても、第１開口部１２１を第２開口部１３１の中に収めることが容易にできる。これにより、反射層１２０が遮光層１３０に対してずれることで第１開口部１２１から第２開口部１３１の端縁部が露出することを低減することができる。よって、第２開口部１３１の形状が隠蔽されずに視認されることを抑制することができる。
【００５８】
本実施の形態では、遮光層１３０は、黒色のインクを反射層１２０の表面に重ねて印刷されて形成される。黒色のインクは、光を透過させないための黒色系の顔料をビヒクル樹脂に分散させて構成されている。黒色系の顔料としては、例えば、カーボンブラックなどが挙げられる。
【００５９】
遮光層１３０は、この黒色のインクが反射層１２０に対してスクリーン印刷されることにより形成される。このときの遮光層１３０の厚みは、例えば５〜１０マイクロメートル程度である。
【００６０】
なお、遮光層１３０を構成する黒色のインクは、上記構成、材料に限定されるものではなく、他の黒色系の顔料や染料を用いてもよい。また、遮光層１３０の黒色のインクは、黒色に限定されるものではなく、光を透過させなければ、暗色など他の色であってもよい。また、遮光層１３０の厚みも５〜１０マイクロメートルに限定されるものではなく、遮光層１３０の第２開口部１３１以外の部分を十分に遮光できる厚みであればよい。
【００６１】
光拡散層１４０は、表示層１１０及び光源１０４の間において第２開口部１３１と重なって配置され、光を拡散する層状の部位である。光拡散層１４０は、具体的には、遮光層１３０の後側に隣接する層状の部位である。光拡散層１４０は、例えば、Ｚ軸方向から見た場合、光拡散層１４０のうちの一部である光拡散部１４１において光を拡散し、光拡散部１４１以外の部位では光を拡散しなくてもよい。光拡散部１４１は、所定の意匠の形状に形成される。つまり、光拡散部１４１は、第１開口部１２１および第２開口部１３１と同じ形状を有する。光拡散部１４１は、例えば、乳白色の樹脂により構成される。また、光拡散部１４１は、反射層１２０とは、反射率および透過率の少なくとも一方が異なる。
【００６２】
このような光拡散層１４０は、具体的には、例えば、光が光拡散層１４０を透過するときに光が散乱するように、反射層１２０と同様の乳白色のインクが遮光層１３０の表面に重ねてスクリーン印刷されることにより形成される。このときの光拡散層１４０の厚みは、例えば５〜１０マイクロメートル程度である。このようにして形成した光拡散層１４０において、光拡散部１４１は、第２開口部１３１と対向した部位である。したがって、光拡散部１４１以外の光拡散層１４０の部位では、遮光層１３０により光が遮光されるため、光拡散部１４１以外の光拡散層１４０の部位で拡散した光は、反射層１２０、および、表示層１１０には至らない。
【００６３】
なお、乳白色のインクは、反射層１２０と同様の構成に限定されるものではなく、反射層１２０の乳白色のインクとは異なる構成、材料のものであってもよい。また、光拡散層１４０の乳白色のインクは、例えばビヒクル樹脂に光を反射する微細な粒子（アクリルなどのビーズ）を混合することで構成されてもよい。また、光拡散層１４０の厚みも５〜１０マイクロメートルに限定されるものではなく、後述する光源１０４の光を透過させ、かつ、外光を反射させるために十分な厚みであればよい。
【００６４】
なお、光拡散層１４０は、光拡散部１４１のみによって構成されていてもよい。つまり、光拡散層１４０は、所定の意匠の形状に形成されていてもよく、光を拡散しない部位を有していなくてもよい。このため、光拡散層１４０の大きさを小さくすることができ、少ない材料で光拡散層１４０を形成することができる。
【００６５】
なお、反射層１２０は、表示層１１０の後面に印刷されることで形成されてもよい。また、遮光層１３０は、反射層１２０の後面に印刷されることで形成されてもよい。また、光拡散層１４０は、遮光層１３０の後面に印刷されることで形成されてもよい。つまり、反射層１２０、遮光層１３０および光拡散層１４０は、それぞれ、表示層１１０の後面に、この順で印刷されることで形成された印刷層である。このため、反射層１２０、遮光層１３０および光拡散層１４０を、表示層１１０の後面に容易に配置することができる。反射層１２０、遮光層１３０および光拡散層１４０は、印刷層であるため、固化されたインクによって構成されていてもよい。
【００６６】
基材１０２は、積層体１０１および光源１０４の間に配置され、透光性を有する部材である。基材１０２は、積層体１０１の後側に隣接する板状の部材である。基材１０２は、積層体１０１よりも剛性が大きい材料により構成される。これにより、基材１０２は、積層体１０１の前面が荷重を受けて撓むことを低減することができ、積層体１０１の強度を確保することができる。基材１０２は、例えば、透明な樹脂により構成される。
【００６７】
ケース１０３は、基材１０２および基板１０５の間に配置され、基板１０５の前面側に実装される光源１０４の側方を囲う部材である。ケース１０３は、Ｚ軸方向に貫通する貫通孔１０３ａを有する。ケース１０３は、基材１０２の後側に隣接し、かつ、基板１０５の前側に隣接する部材である。つまり、ケース１０３は、Ｚ軸方向において、基材１０２と基板１０５との間に所定の空間を空けるための部材である。ケース１０３は、例えば、樹脂により構成される。ケース１０３は、樹脂に限らずに、金属により構成されてもよい。
【００６８】
光源１０４は、基板１０５の前面に配置されており、かつ、ケース１０３の貫通孔１０３ａの内部の空間に配置される。光源１０４は、Ｚ軸プラス方向に光を発する。光源１０４は、例えば、ＬＥＤ（ＬｉｇｈｔＥｍｉｔｔｉｎｇＤｉｏｄｅ）である。光源１０４は、Ｚ軸方向から見た場合に、第２開口部１３１と重なる位置に配置されていてもよい。光源１０４は、基板１０５において図示しない電力線に接続されており、電力が供給されうる。光源１０４は、電力が供給されると光を発する点灯状態となり、電力が供給されないと光を発しない消灯状態となる。光源１０４への電力の供給および非供給の切り替えは、図示しないスイッチのＯＮ／ＯＦＦによりなされてもよいし、図示しない制御回路の制御によりなされてもよい。このように、光源１０４は、点灯状態と、消灯状態とのいずれかの状態に選択的に切り替わる。
【００６９】
次に、光源１０４が消灯状態および点灯状態における所定の意匠１０６の表示態様とその原理について図６〜図９を用いて説明する。
【００７０】
図６は、光源１０４が消灯状態における所定の意匠１０６の表示態様の一例を示す図である。図７は、光源１０４が点灯状態における所定の意匠１０６の表示態様の一例を示す図である。図８は、図７のＶＩＩＩ−ＶＩＩＩ断面図であり、消灯状態における表示態様の原理を説明するための図である。図９は、図７のＶＩＩＩ−ＶＩＩＩ断面図であり、点灯状態における表示態様の原理を説明するための図である。
【００７１】
図６に示すように、光源１０４が消灯状態においては、所定の意匠１０６は、表示されないため、ユーザは、表示層１１０の前面１１０ａの木目の模様のみを視認できる。この原理について図８を用いて説明する。
【００７２】
図８に示すように、消灯状態においては、太陽光などの外光は、表示層１１０を前面１１０ａから後方へ透過し、反射層１２０で前方に向かって反射される。また、外光は、光拡散層１４０の光拡散部１４１で拡散され、拡散された光は、前方に向かって反射される。特に、黒色の遮光層１３０は前側の全てを反射層１２０によって覆われているため、表示層１１０を前面１１０ａから透過した外光は、遮光層１３０に到達しにくい。なお、外光は、太陽光に限らずに、照明装置１００の前側から前面１１０ａに照射される様々な光を含んでいてもよい。
【００７３】
また、遮光層１３０の第２開口部１３１が形成されている領域には、光拡散層１４０の光拡散部１４１が配置されているため、当該領域においても、表示層１１０を前面１１０ａから透過した外光は、光拡散部１４１で前方に向かって反射される。これらのことにより、表示層１１０を前面１１０ａから透過した外光は、照明装置１００のＸ−Ｙ平面における全ての領域において、前方に反射され、遮光層１３０に到達しにくいため、遮光層１３０の第２開口部１３１の形状は前面１１０ａには現れない。このため、ユーザは、消灯状態においては、前面１１０ａの木目の模様のみを視認できる。
【００７４】
一方で、図７に示すように、光源１０４が点灯状態においては、光源１０４の光によって、所定の意匠１０６が表示層１１０の前面１１０ａに表示されるため、ユーザは、前面１１０ａの木目の模様の中に所定の意匠１０６を視認できる。この原理について図９を用いて説明する。
【００７５】
図９に示すように、点灯状態においては、光源１０４から発せられた光は、基材１０２を透過した後で、光拡散層１４０の光拡散部１４１で拡散される。そして、光拡散部１４１で拡散された光は、遮光層１３０の第２開口部１３１および反射層１２０の第１開口部１２１を通過した後で、表示層１１０を透過し、前面１１０ａよりも前方に進む。一方で、光拡散部１４１で拡散された光は、遮光層１３０の第２開口部１３１を除く領域では遮光されるため、表示層１１０の前面１１０ａよりも前方には届かない。このため、ユーザは、点灯状態においては、前面１１０ａの木目の模様の中に所定の意匠１０６を視認できる。
【００７６】
［２．効果など］
本実施の形態に係る照明装置１００によれば、外光を反射する反射層１２０と、光を拡散する光拡散層１４０とが別々に設けられており、反射層１２０には光拡散層１４０の光拡散部１４１と重なって配置される第１開口部１２１が設けられている。このため、反射層１２０の反射率を調整することで、光源１０４が光を発していないときに遮光層１３０の第２開口部１３１の形状が表示層１１０の前面１１０ａに現れることを隠蔽する度合いを調整することができる。また、光拡散層１４０の光拡散部１４１の透過率を調整することで、所定の意匠１０６の表示輝度を調整することができる。このように、反射層１２０と光拡散層１４０とを別々の構成にしたことで、第２開口部１３１の形状を隠蔽する度合いの調整と、所定の意匠１０６の表示輝度の調整とを別々に行うことができる。よって、所定の意匠１０６の隠蔽と表示とを効果的に両立させることができる。
【００７７】
また、本実施の形態に係る照明装置１００において、表示層１１０は、所定の色柄が形成されている。また、所定の色柄は、木目、または、金属模様である。このため、光源１０４が消灯状態の場合に、表示層１１０の木目または金属模様のみをユーザに視認させることができる。また、光源１０４が点灯状態の場合に、表示層１１０の木目または金属模様の中に所定の意匠１０６を表示させることができる。
【００７８】
また、本実施の形態に係る照明装置１００において、遮光層１３０は、黒色である。このため、遮光層１３０は、効果的に遮光することができる。
【００７９】
［３．変形例］
［３−１．変形例１］
変形例１の照明装置１００Ａについて図１０を用いて説明する。
【００８０】
図１０は、変形例１の照明装置１００Ａの、図７のＶＩＩＩ−ＶＩＩＩ断面図に対応する断面図である。
【００８１】
図１０に示すように、変形例１に係る照明装置１００Ａは、実施の形態に係る照明装置１００と比較して、積層体１０１Ａが透明フィルム１５０をさらに有する点が異なる。このため、以下では積層体１０１Ａの説明をし、その他の構成の説明を省略する。
【００８２】
積層体１０１Ａは、表示層１１０と、透明フィルム１５０と、反射層１２０と、遮光層１３０と、光拡散層１４０とを有する。表示層１１０、反射層１２０、遮光層１３０、および光拡散層１４０の構成は、実施の形態と同様である。透明フィルム１５０は、透明なフィルム状のシートである。透明フィルム１５０は、例えば、厚みが５０〜２００マイクロメートルのアクリルやポリカーボネートの樹脂により構成される。なお、透明フィルム１５０の材質は、アクリルやポリカーボネートに限定されるものではなく、透明な材質のフィルムであればよい。また、透明フィルム１５０の厚みも上記のものに限定されるものではなく、透明度や扱いやすさに応じて、適宜変更してもよい。
【００８３】
表示層１１０は、透明フィルム１５０の前面１５１に配置される。また、反射層１２０、遮光層１３０および光拡散層１４０は、それぞれ、透明フィルム１５０の後面１５２に、この順に印刷されることで形成された印刷層である。反射層１２０、遮光層１３０および光拡散層１４０は、実施の形態と同様に印刷層であるため、固化されたインクによって構成されていてもよい。
【００８４】
変形例１の照明装置１００Ａでは、積層体１０１Ａの表示層１１０の後側の層を、透明フィルム１５０に印刷することで構成するため、反射層１２０、遮光層１３０および光拡散層１４０を、表示層１１０の後側に容易に配置することができる。
【００８５】
［３−２．変形例２］
変形例２の照明装置１００Ｂについて図１１を用いて説明する。
【００８６】
図１１は、変形例２の照明装置１００Ｂの、図７のＶＩＩＩ−ＶＩＩＩ断面図に対応する断面図である。
【００８７】
図１１に示すように、変形例２に係る照明装置１００Ｂは、変形例１に係る照明装置１００Ａと比較して、積層体１０１Ｂが透明フィルム１５０を有する点が同様であるが、積層体１０１Ｂにおいて透明フィルム１５０が反射層１２０および遮光層１３０の間に配置される点が異なる。具体的には、反射層１２０は、透明フィルム１５０の前面１５１に印刷されることで形成された第１印刷層である。また、遮光層１３０および光拡散層１４０は、透明フィルム１５０の後面１５２に、この順に印刷されることで形成された第２印刷層である。反射層１２０、遮光層１３０および光拡散層１４０は、実施の形態と同様に印刷層であるため、固化されたインクによって構成されていてもよい。
【００８８】
変形例２の照明装置１００Ｂでは、透明フィルム１５０を配置することにより、反射層１２０と、遮光層１３０および光拡散層１４０とを分離して配置することが容易にできる。
【００８９】
［３−３．変形例３］
上記実施の形態に係る照明装置１００では、光拡散層１４０は印刷により形成される印刷層であるとしたが、これに限らずに、光透過性および光拡散性を有するフィルムにより構成されてもよい。この場合、反射層１２０および遮光層１３０は、フィルムにより構成される光拡散層１４０の前面に、この順に印刷されることで形成された印刷層であってもよい。このため、光拡散層１４０よりも前方に反射層１２０および遮光層１３０を配置することが容易にできる。
【００９０】
なお、このフィルムの厚みは、上記した透明フィルム１５０と同様である。
【００９１】
また、同様にして、反射層１２０、遮光層１３０も、印刷層に替えて、フィルムにより構成されてもよい。この場合、反射層１２０は、第１開口部１２１が透光性を有し、それ以外の部分は光拡散性を有するように形成される。また、遮光層１３０は、第２開口部１３１が透光性を有し、それ以外の部分は遮光性を有するように形成される。そして、表示層１１０、反射層１２０、遮光層１３０、および光拡散層１４０を、この順に重ねて接着することで一体化して、積層体１０１を構成するようにしてもよい。
【００９２】
したがって、反射層１２０、遮光層１３０、および光拡散層１４０の少なくとも１つをフィルムにより構成してもよい。
【００９３】
［３−４．変形例４］
上記実施の形態およびその変形例１〜３に係る照明装置１００、１００Ａ、１００Ｂでは、光拡散層１４０は、光拡散部１４１において光を拡散するとしたが、これに限らずに、全部の領域が光拡散性を有する層であってもよい。これにより、光拡散層１４０を形成する製造工程を容易にできる。
【００９４】
［３−５．変形例５］
上記実施の形態およびその変形例１〜４に係る照明装置１００、１００Ａ、１００Ｂでは、光拡散層１４０は、遮光層１３０の後側に配置されるとしたが、光拡散層１４０は、反射層１２０および光源１０４の間に配置されていれば、どの位置に配置されていてもよい。
【００９５】
以上、本開示の一つまたは複数の態様に係る表示装置および入力装置について、実施の形態に基づいて説明したが、本開示は、この実施の形態に限定されるものではない。本開示の趣旨を逸脱しない限り、当業者が思いつく各種変形を本実施の形態に施したものや、異なる実施の形態における構成要素を組み合わせて構築される形態も、本開示の一つまたは複数の態様の範囲内に含まれてもよい。
【産業上の利用可能性】
【００９６】
本開示は、意匠の隠蔽と表示とを効果的に両立させることができる照明装置などとして有用である。
【符号の説明】
【００９７】
２  ステアリング入力装置
４  自動車
６  車載機器
８  ステアリングホイール
１２  リム
１４  スポーク
１６  ホーンスイッチカバー
１８  指
２０  ダッシュボード
１００、１００Ａ、１００Ｂ  照明装置
１０１、１０１Ａ、１０１Ｂ  積層体
１０２  基材
１０３  ケース
１０３ａ  貫通孔
１０４  光源
１０５  基板
１０６  所定の意匠
１１０  表示層
１１０ａ  前面
１２０  反射層
１２１  第１開口部
１３０  遮光層
１３１  第２開口部
１４０  光拡散層
１４１  光拡散部
１５０  透明フィルム
１５１  前面
１５２  後面
２００  外枠
【図１】
2020101781.tif 000003
【図２】
2020101781.tif 000004
【図３】
2020101781.tif 000005
【図４】
2020101781.tif 000006
【図５】
2020101781.tif 000007
【図６】
2020101781.tif 000008
【図７】
2020101781.tif 000009
【図８】
2020101781.tif 000010
【図９】
2020101781.tif 000011
【図１０】
2020101781.tif 000012
【図１１】
2020101781.tif 000013